(57)【要約】【課題】設備コストの上昇を招くことなく、短時間でジョイントを形成させながらも、ジョイント部とそれ以外の部分との剛性差を十分に小さくしてデントのレベルを改善することができるプライのジョイント技術を提供する。【解決手段】ジョイント部を貫通するプリッキング穴が形成されており、プリッキング穴の穴径Ｄとコードのピッチｄとの関係が０．５ｄ≦Ｄ≦１．５ｄ、プリッキング穴がジョイント部におけるオーバーラップの幅をＬとしたときジョイント部の中心から両側１／６Ｌの範囲内に設けられているプライのジョイント構造。さらに、プリッキング穴が、加硫後の空気入りタイヤの径方向におけるブレーカーのエッジ位置からビードエイペックス上端位置までの間に１〜４個配置されるように設けられているプライのジョイント構造。【選択図】図１
2015120434.tif 000002
【特許請求の範囲】
【請求項１】
所定のピッチで平行に配列されたコードをトッピングゴムで被覆して形成されるトップ反を裁断して得られるプライ片の側縁部同士をオーバーラップさせてジョイントすることにより形成されたプライのジョイント部におけるプライのジョイント構造であって、
前記ジョイント部に、前記ジョイント部を貫通するプリッキング穴が形成されており、
前記プリッキング穴の穴径Ｄと前記コードのピッチｄとの関係が、０．５ｄ≦Ｄ≦１．５ｄであり、
前記プリッキング穴が、前記ジョイント部におけるオーバーラップの幅をＬとしたとき、前記ジョイント部の中心から前記プライの長手方向のそれぞれ両側１／６Ｌの範囲内に設けられている
ことを特徴とするプライのジョイント構造。
【請求項２】
さらに、前記プリッキング穴が、加硫後の空気入りタイヤの径方向におけるブレーカーのエッジ位置からビードエイペックス上端位置までの間に１〜４個配置されるように設けられている
ことを特徴とする請求項１に記載のプライのジョイント構造。
【請求項３】
請求項１または請求項２に記載のジョイント構造を有するカーカスプライが用いられていることを特徴とする空気入りタイヤ。
【発明の詳細な説明】
【技術分野】
【０００１】
本発明は、空気入りタイヤ用材料であるプライの形成に際して設けられるプライのジョイント構造および前記ジョイント構造が設けられたプライを用いて製造された空気入りタイヤに関する。
【背景技術】
【０００２】
空気入りタイヤの製造工程においては、平行に配列されたコードをトッピングゴムで被覆して形成された長尺のトップ反から所定の角度および幅で裁断されたプライ片の側縁部同士をジョイントして長尺のプライを形成することが行われている（特許文献１）。なお、ここでいう「側縁部」とは、プライ片において裁断面とは異なる側縁部を指す。
【０００３】
このとき、一般に、プライの側縁部同士をオーバーラップさせてジョイントを行っていた。しかし、このようにして形成されたジョイント構造の場合、ジョイント部とそれ以外の部分との間に剛性差が生じて、加硫時にジョイント部とその近傍が膨らまず、加硫後のサイドウォール部にラジアル方向の凹み（デント）が生じる恐れがある。
【０００４】
そこで、オーバーラップ量を小さくする極小ジョイントや、オーバーラップさせないジッパージョイント、爪ジョイントなどを適用し、ジョイント部近傍に生じる剛性差を小さくしてデントの発生を抑制することが行われている。
【先行技術文献】
【特許文献】
【０００５】
【特許文献１】特開２０１０−１１１０８２号公報
【発明の概要】
【発明が解決しようとする課題】
【０００６】
しかしながら、これらのジョイントの適用に際しても、以下に示すような問題点があり、さらなる改善が求められていた。
【０００７】
即ち、極小ジョイントの場合、オーバーラップ量を小さくすることによりデントのレベルを改善することはできるものの、デントのレベルに対する市場の厳しい要求に応えるには未だ十分とまではいえない。また、オーバーラップ量を小さくするほど、工程におけるコントロールが難しくなり、生産性の低下を招いてしまう。
【０００８】
一方、ジッパージョイントや爪ジョイントの場合、デントのレベルは飛躍的に改善できるものの、ジョイント構造を形成するための機構が複雑となり、設備コストの上昇を招いてしまう。また、ジョイント作業に長時間を要するため、生産性の低下を招いてしまう。
【０００９】
このため、設備コストの上昇を招くことなく、短時間でジョイントを形成させながらも、ジョイント部とそれ以外の部分との剛性差を十分に小さくしてデントのレベルを改善し、市場の厳しい要求に十分に応えることができるプライのジョイント技術が望まれていた。
【課題を解決するための手段】
【００１０】
本発明者は、上記課題を解決するため鋭意検討を行った結果、以下に記載する発明により上記課題が解決できることを見出し、本発明を完成させるに至った。
【００１１】
請求項１に記載の発明は、
所定のピッチで平行に配列されたコードをトッピングゴムで被覆して形成されるトップ反を裁断して得られるプライ片の側縁部同士をオーバーラップさせてジョイントすることにより形成されたプライのジョイント部におけるプライのジョイント構造であって、
前記ジョイント部に、前記ジョイント部を貫通するプリッキング穴が形成されており、
前記プリッキング穴の穴径Ｄと前記コードのピッチｄとの関係が、０．５ｄ≦Ｄ≦１．５ｄであり、
前記プリッキング穴が、前記ジョイント部におけるオーバーラップの幅をＬとしたとき、前記ジョイント部の中心から前記プライの長手方向のそれぞれ両側１／６Ｌの範囲内に設けられている
ことを特徴とするプライのジョイント構造である。
【００１２】
請求項２に記載の発明は、
さらに、前記プリッキング穴が、加硫後の空気入りタイヤの径方向におけるブレーカーのエッジ位置からビードエイペックス上端位置までの間に１〜４個配置されるように設けられている
ことを特徴とする請求項１に記載のプライのジョイント構造である。
【００１３】
請求項３に記載の発明は、
請求項１または請求項２に記載のジョイント構造を有するカーカスプライが用いられていることを特徴とする空気入りタイヤである。
【発明の効果】
【００１４】
本発明によれば、設備コストの上昇を招くことなく、短時間でジョイントを形成させながらも、ジョイント部とそれ以外の部分との剛性差を十分に小さくすることができるプライのジョイント構造を提供することができ、また、このようなジョイント構造を設けることにより、デントのレベルが改善されて市場の厳しい要求に十分に応えた空気入りタイヤを提供することができる。
【図面の簡単な説明】
【００１５】
【図１】本発明の一実施の形態に係るプライのジョイント構造を模式的に示す平面図である。
【図２】本発明の一実施の形態に係るプライのジョイント構造を模式的に示す断面図である。
【図３】本発明の一実施の形態に係るプライのジョイント構造を模式的に示す断面図である。
【図４】本発明の一実施の形態に係るプライのジョイント構造を模式的に示す断面図である。
【図５】本発明の一実施の形態に係るプライのジョイント構造を有するカーカスプライを備えた空気入りタイヤの断面図である。
【発明を実施するための形態】
【００１６】
本発明者は、前記したプライのジョイント部近傍とその他の部分との剛性差を小さくすることができるジョイント構造について、鋭意検討を行い、ジョイント部にプリッキング穴を設けた場合、この剛性差を小さくすることができ、デントを抑制できることに思い至った。しかし、検討を進めていく中で、デントのレベルを適切に改善するには、この設けられるプリッキング穴にも適切なサイズと配置条件があることが分かった。そこで、これらのプリッキング穴を適切に形成させるための条件についてさらに検討を行い、以下に示す実施の形態によればよいことを見出した。以下、本発明の一実施の形態に基づいて、本発明を具体的に説明する。
【００１７】
図１は本実施の形態に係るプライのジョイント構造を模式的に示す平面図、図２〜図４は本実施の形態に係るプライのジョイント構造を模式的に示す断面図、図５は本実施の形態に係るプライのジョイント構造を有するカーカスプライを備えた空気入りタイヤの断面図である。
【００１８】
プライ片３は、所定のピッチで平行に配列されたコード１をトッピングゴム２で被覆して形成されるトップ反を裁断することにより得られる（図２参照）。図１に示すように、このプライ片３の裁断面ではない側縁部同士をオーバーラップさせてジョイント部４をジョイントすることにより、本実施の形態に係るジョイント構造が形成される。
【００１９】
そして、本実施の形態においては、図２に示すように、ジョイント部４を貫通するプリッキング穴６が形成されている。
【００２０】
このとき、プリッキング穴６は、以下の（１）および（２）に挙げる条件をすべて満たすように形成されている。
【００２１】
（１）プリッキング穴６の穴径Ｄは、プライ片３のコード１のピッチｄとの関係において、０．５ｄ≦Ｄ≦１．５ｄを満足するように設定されている。Ｄ＜０．５ｄの場合、プリッキング穴６が小さ過ぎて剛性を小さくする効果を得ることができない。一方、Ｄ＞１．５ｄの場合、デントのレベルの改善を図ることはできるものの、プリッキング穴６が大き過ぎて、タイヤ加硫時にプリッキング穴６に周囲のゴム部材が吸い上げられて内観に凹みが生じ、タイヤ厚さが局部的に薄くなるため、空気入りタイヤにおいて十分にエアーを保持することができなくなり、エアー保持性能の低下を招くという別の問題が発生する恐れがある。
【００２２】
（２）プリッキング穴６は、図３に示すように、ジョイント部４におけるオーバーラップの幅をＬとしたとき、ジョイント部の中心Ｃからの距離Ｌｘがプライの長手方向のそれぞれ両側１／６Ｌの範囲内になるように設けられている。両側１／６Ｌの範囲を超えてプリッキング穴６が設けられると、図４に示すように、プリッキング穴６が形成されていないエリアＬａが大きくなり過ぎて、十分な効果を得ることができない。
【００２３】
即ち、プリッキング穴６は、図４に示すＬａとＬｂ、即ち、プリッキング穴６とジョイント両端部とのそれぞれの距離の間で、０．５≦Ｌａ／Ｌｂ≦２の関係を満足するように設けられている。
【００２４】
上記（１）および（２）に示した条件を満たすようにして形成されたプリッキング穴６を設けることにより、ジョイント部４と他の部分との剛性差を適切に小さくして、デントの発生を適切に抑制できる。この結果、市場の要求に十分に応えたデントのレベルに形成された外観に優れた空気入りタイヤを提供することができる。
【００２５】
さらに、本実施の形態においては、以下に示す（３）の条件も満足しているとより好ましい。
【００２６】
（３）プリッキング穴６は、図５に示すように、加硫後の空気入りタイヤの径方向におけるブレーカー（１ｓｔブレーカー）７のエッジ位置からビードエイペックス８の上端位置までの間（距離Ａ間）に１〜４個配置されるように設けられていることが好ましい。５個以上配置されていると多過ぎて、デントのレベルの改善を図ることはできるものの、加硫時にプライの目開きが発生し、ラジアルクラックが発生するという別の問題が発生する恐れがある。
【００２７】
そして、本実施の形態に係るジョイント構造は、従来のオーバーラップジョイントに基づいて形成されるため、極小ジョイントの場合のように工程におけるコントロールが難しくならず生産性の低下を招くことがない。また、ジッパージョイントや爪ジョイントの場合のような設備コストの上昇や作業時間の長期化を招くこともない。
【００２８】
なお、プリッキング穴６を形成する方法は特に限定されず、例えば、幅方向に列設される複数の針を有したプリッキング装置（図示せず）を用いることにより形成することができる。
【実施例】
【００２９】
（１）試験用タイヤの作製
表１に示すように、プリッキング穴径φＤ、プリッキング位置比Ｌａ／Ｌｂ、プリッキングエリアＡ内のプリッキング個数がそれぞれ異なるプリッキング穴６がジョイント部４に形成された空気入りタイヤを作製し、実施例１〜実施例４、および比較例１〜比較例４の試験用タイヤとした。
【００３０】
また、ジョイント部４にプリッキング穴６を設けない空気入りタイヤを作製し、比較例５の試験用タイヤとした。
【００３１】
各試験用タイヤについての仕様は以下の通りである。
（ａ）タイヤサイズ：１９５／６５Ｒ１５  ＰＣＲ
（ｂ）カーカスプライ：１−０ＨＴＵのプライ構造
（ｃ）トップ反スペック：
コード径φ    ：０．６８ｍｍ
コードエンズ  ：５．０／５ｃｍ
コード構成    ：１６７０ｄｔｅｘ／２
トップ反ゲージ：０．９５ｍｍ
【００３２】
（２）評価
（ａ）評価方法
各試験用タイヤの内圧を３．０ｋＰａにして、ＦＶ測定用ドラムを回転させ、距離測定センサーにてショルダー部のデント量を測定した。測定結果を、プリッキング穴を設けなかった比較例５における測定結果を１００とする指数で評価し、デント評価とした。指数が高いほどデントのレベルが改善され、低いほどデントのレベルが悪化したことを示す。
【００３３】
併せて、各試験用タイヤについて、インフレート後の内圧の時系列変化を調べるエア保持性試験により、内圧を測定した。測定結果を、プリッキング穴を設けなかった比較例５における測定結果を１００とする指数で評価し、エアー保持性能とした。指数が高いほどエアー保持性能が改善され、低いほどエアー保持性能が悪化したことを示す。
【００３４】
また、各試験用タイヤについて、仕上げ検査工程での目視検査により、ラジアルクラックの発生の有無を観察した。
【００３５】
（ｂ）評価結果
評価結果を表１に示す。
【００３６】
【表１】
2015120434.tif 000003
【００３７】
表１より、上記の実施の形態に記載した（１）および（２）の条件を満たすプリッキング穴が形成された実施例１〜実施例４では、市場のシビアな要求にも対応できるデントのレベル１１０以上が確保されていることが分かる。そして、（３）の条件をも満たす実施例１〜実施例３では、エアー保持性能も悪化せず、ラジアルクラックも発生していない。しかし、プリッキング個数が多過ぎる実施例４では、タイヤで目開きが生じて、エアー保持性能の悪化、ラジアルクラックの発生を招いている。
【００３８】
これに対して、（２）の条件を満たす一方、プリッキング穴径φＤが小さ過ぎるプリッキング穴が形成された比較例１では、ジョイント部の剛性が低下せず、デントのレベルが１００に留まっている。
【００３９】
そして、（２）の条件を満たす一方、プリッキング穴径φＤが大き過ぎるプリッキング穴が形成された比較例２では、ジョイント部の剛性が十分に低下せず、デントのレベルが１０５に留まっている。また、大き過ぎるプリッキング穴によりコード間が目開きしてインナーを吸い込むことにより、極部的にインナーゲージが薄くなり、エアー保持性能が９５と悪化している。また、目開き部からのラジアルクラックも発生している。
【００４０】
そして、（１）の条件を満たす一方、プリッキング位置比Ｌａ／Ｌｂが小さ過ぎるプリッキング穴が形成された比較例３、およびプリッキング位置比Ｌａ／Ｌｂが大き過ぎるプリッキング穴が形成された比較例４では、プリッキング穴がジョイント部の端縁付近となるため、ジョイント部の剛性が十分低下せず、デントのレベルが１００に留まっている。
【００４１】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００４２】
１          コード
２          トッピングゴム
３          プライ片
４          ジョイント部
６          プリッキング穴
７          ブレーカー
８          ビードエイペックス
１０        押圧ローラー
１１        突起
２０        押し当て体
２１        圧着面
【図１】
2015120434.tif 000004
【図２】
2015120434.tif 000005
【図３】
2015120434.tif 000006
【図４】
2015120434.tif 000007
【図５】
2015120434.tif 000008